(57)【要約】【課題】例えば高位脛骨骨切り術（High Tibial Osteotomy：HTO）で用いられる人工骨の母材となるブロック体に所望の線を正確に罫書くことができる罫書き用器具を提供すること。【解決手段】罫書き用器具１は、第１面９１と第２面９２とを有するブロック体９に線ＬＮ９を罫書くときに用いられるものである。ブロック体９は、第１面９１および第２面９２と異なる第３面９３に線ＬＮ９が罫書かれ、その際、第２面９２上に線ＬＮ９が交わる交点ＰＩ９が設定されるものである。罫書き用器具１は、板状をなす基板２と、基板２上に回転可能に支持され、ブロック体９が載置されるターンテーブル３とを備える。ターンテーブル３は、第１面９１が当接する当接部としての柱状部３２と、柱状部３２に第１面９１が当接した状態で、第２面９２から第１面９１上の交点ＰＩ９までの距離を合わせる高さ目盛り３４とを有する。【選択図】図５
2019062972.tif 000002
【特許請求の範囲】
【請求項１】
交差する２つの面を有するブロック体に線を罫書くときに用いられる罫書き用器具であって、
前記ブロック体は、前記２つの面と異なる面に前記線が罫書かれ、その際、前記２つの面のうちの一方の面または該一方の面と同一の仮想面上に前記線が交わる交点が設定されるものであり、
前記罫書き用器具は、基板と、
前記基板上に回転可能に支持され、前記ブロック体が載置されるターンテーブルとを備え、
前記ターンテーブルは、前記一方の面が当接する当接部と、
前記当接部に前記一方の面が当接した状態で、前記２つの面のうちの他方の面から前記交点までの距離を合わせる目盛りとを有することを特徴とする罫書き用器具。
【請求項２】
前記距離を前記目盛りに合わせた状態で前記ターンテーブルを回転させ、その回転先の位置で前記ターンテーブルを停止させた状態として、前記線を罫書いて用いられる請求項１に記載の罫書き用器具。
【請求項３】
前記基板の平面視で、前記ターンテーブルの回転中心と、前記目盛りの原点とは、重なっている請求項１または２に記載の罫書き用器具。
【請求項４】
前記目盛りは、前記当接部に付されている請求項１ないし３のいずれか１項に記載の罫書き用器具。
【請求項５】
前記線は、直線であり、
前記線を罫書く際に、前記ブロック体上に配置される直線定規を備える請求項１ないし４のいずれか１項に記載の罫書き用器具。
【請求項６】
前記基板は、前記ターンテーブルの回転中心に対する前記直線定規の位置を決める位置決め部を有する請求項５に記載の罫書き用器具。
【請求項７】
前記他方の面は、平面であり、
前記線は、前記他方の面に対して傾斜する直線であり、
前記他方の面に当接させた状態で前記ターンテーブルを回転させた際に、前記直線定規と交差し、その交差点の位置を示す交差点用目盛りを有する補助定規を備える請求項５または６に記載の罫書き用器具。
【請求項８】
前記補助定規は、前記他方の面に当接させた状態で前記ターンテーブルを回転させた際に、前記直線定規との干渉を回避する逃げ部を有する請求項７に記載の罫書き用器具。
【請求項９】
前記他方の面は、平面であり、
前記線は、前記他方の面に対して傾斜する直線であり、
前記基板は、前記ターンテーブルを回転させた際に、前記線の傾斜角度を示す角度目盛りを有する請求項１ないし６のいずれか１項に記載の罫書き用器具。
【発明の詳細な説明】
【技術分野】
【０００１】
本発明は、罫書き用器具に関する。
【背景技術】
【０００２】
脚の形をいわゆる「Ｏ脚」から「Ｘ脚」に変える高位脛骨骨切り術（High Tibial Osteotomy：HTO）が従来から行われている。この高位脛骨骨切り術には、股の内側から外側に向かって脛骨を切開し、当該切開部にスペーサとしてのくさび形の人工骨を挿入して、脛骨の角度を矯正するオープンウェッジ法がある。
【０００３】
人工骨は、例えば直方体をなすブロック体（母材）から得られる。ブロック体には、例えば指矩（さしがね）と直線定規とを用いて、傾斜線が罫書かれる（例えば、非特許文献１参照）。そして、この罫書き線に沿ってブロック体を切断すれば、くさび形の人工骨が得られる。
【０００４】
しかしながら、非特許文献１に記載の罫書き方法では、角度計測する機能を有さないので、くさび形の頂部の傾斜角を所望角度にすることが困難である。すなわち患部に応じて、くさび形状の高さ、深さ（奥行）あるいは頂部の傾斜角のいずれか少なくとも１つを基準として、最適なくさび形状を決定するが、非特許文献１に記載の罫書き方法では、頂部の傾斜角を基準とした罫書きが困難である。
【先行技術文献】
【非特許文献】
【０００５】
【非特許文献１】木村雅史編集、「失敗しない  変形性膝関節症の手術」、第１版、株式会社医学と看護社、２０１５年８月２５日、ｐ．２１−３１
【発明の概要】
【発明が解決しようとする課題】
【０００６】
本発明の目的は、例えば高位脛骨骨切り術（High Tibial Osteotomy：HTO）で用いられるブロック体（人工骨の母材）に、例えばくさび形状の頂部の傾斜角を基準とする場合であっても所望の線を容易に罫書くことができる罫書き用器具を提供することにある。
【課題を解決するための手段】
【０００７】
このような目的は、下記（１）〜（９）の本発明により達成される。
（１）  交差する２つの面を有するブロック体に線を罫書くときに用いられる罫書き用器具であって、
前記ブロック体は、前記２つの面と異なる面に前記線が罫書かれ、その際、前記２つの面のうちの一方の面または該一方の面と同一の仮想面上に前記線が交わる交点が設定されるものであり、
前記罫書き用器具は、基板と、
前記基板上に回転可能に支持され、前記ブロック体が載置されるターンテーブルとを備え、
前記ターンテーブルは、前記一方の面が当接する当接部と、
前記当接部に前記一方の面が当接した状態で、前記２つの面のうちの他方の面から前記交点までの距離を合わせる目盛りとを有することを特徴とする罫書き用器具。
【０００８】
これにより、例えば高位脛骨骨切り術（High Tibial Osteotomy：HTO）で用いられるブロック体（人工骨の母材）に所望の線を正確に罫書くことができる。
【０００９】
（２）  前記距離を前記目盛りに合わせた状態で前記ターンテーブルを回転させ、その回転先の位置で前記ターンテーブルを停止させた状態として、前記線を罫書いて用いられる上記（１）に記載の罫書き用器具。
【００１０】
これにより、例えば高位脛骨骨切り術（High Tibial Osteotomy：HTO）で用いられる人工骨の母材となるブロック体（人工骨の母材）に所望の線を正確に罫書くことができる。
【００１１】
（３）  前記基板の平面視で、前記ターンテーブルの回転中心と、前記目盛りの原点とは、重なっている上記（１）または（２）に記載の罫書き用器具。
【００１２】
これにより、ブロック体の他方の面から交点までの距離を目盛りに合わせた状態を維持したまま、ターンテーブルをブロック体ごと回転させることができる。
【００１３】
（４）  前記目盛りは、前記当接部に付されている上記（１）ないし（３）のいずれかに記載の罫書き用器具。
【００１４】
これにより、ブロック体（人工骨の母材）の他方の面から交点までの距離を正確かつ迅速に合わせることができる。
【００１５】
（５）  前記線は、直線であり、
前記線を罫書く際に、前記ブロック体上に配置される直線定規を備える上記（１）ないし（４）のいずれかに記載の罫書き用器具。
【００１６】
これにより、ブロック体（人工骨の母材）上に罫書く線を直線として描く（罫書く）ことができる。
【００１７】
（６）  前記基板は、前記ターンテーブルの回転中心に対する前記直線定規の位置を決める位置決め部を有する上記（５）に記載の罫書き用器具。
これにより、直線定規に沿って、線を安定して罫書く（引く）ことができる。
【００１８】
（７）  前記他方の面は、平面であり、
前記線は、前記他方の面に対して傾斜する直線であり、
前記他方の面に当接させた状態で前記ターンテーブルを回転させた際に、前記直線定規と交差し、その交差点の位置を示す交差点用目盛りを有する補助定規を備える上記（５）または（６）に記載の罫書き用器具。
【００１９】
これにより、交差点用目盛りを確認して（視認して）、ブロック体（人工骨の母材）上に所望の線を罫書くことができる。
【００２０】
（８）  前記補助定規は、前記他方の面に当接させた状態で前記ターンテーブルを回転させた際に、前記直線定規との干渉を回避する逃げ部を有する上記（７）に記載の罫書き用器具。
これにより、回転角度の大小に関わらず、ターンテーブルを回転させることができる。
【００２１】
（９）  前記他方の面は、平面であり、
前記線は、前記他方の面に対して傾斜する直線であり、
前記基板は、前記ターンテーブルを回転させた際に、前記線の傾斜角度を示す角度目盛りを有する上記（１）ないし（６）のいずれかに記載の罫書き用器具。
【００２２】
これにより、角度目盛りを確認して（視認して）、ブロック体（人工骨の母材）上に所望の角度の線を罫書くことができる。
【発明の効果】
【００２３】
本発明によれば、ブロック体の一方の面がターンテーブルの当接部に当接した状態で、ブロック体の他方の面から所定の位置（交点）までの距離を合わせ、その状態のままターンテーブルを回転させることができる。そして、その回転先の位置でターンテーブルを停止させた状態として、前記所定の位置を通る所望の線を正確に罫書くことができる。
【００２４】
例えばブロック体が高位脛骨骨切り術（High Tibial Osteotomy：HTO）で用いられる人工骨の母材となる場合、前記罫書かれた線に沿ってブロック体を切断することにより、人工骨を得ることができる。
【図面の簡単な説明】
【００２５】
【図１】図１は、本発明の罫書き用器具（第１実施形態）の使用方法を順に示す平面図である。
【図２】図２は、本発明の罫書き用器具（第１実施形態）の使用方法を順に示す平面図である。
【図３】図３は、本発明の罫書き用器具（第１実施形態）の使用方法を順に示す平面図である。
【図４】図４は、本発明の罫書き用器具（第１実施形態）の使用方法を順に示す平面図である。
【図５】図５は、本発明の罫書き用器具（第１実施形態）の使用方法を順に示す平面図である。
【図６】図６は、本発明の罫書き用器具（第１実施形態）の使用方法を順に示す平面図である。
【図７】図７は、図１中の矢印Ａ方向から見た図である。
【図８】図８は、本発明の罫書き用器具（第１実施形態）が備える直線定規の平面図である。
【図９】図９は、図８中の矢印Ｂ方向から見た図である。
【図１０】図１０は、本発明の罫書き用器具（第１実施形態）から得られる人工骨の斜視図である。
【図１１】図１１は、図１０に示す人工骨の使用状態の一例を示す斜視図である。
【図１２】図１２は、本発明の罫書き用器具（第２実施形態）の使用方法を順に示す平面図である。
【図１３】図１３は、本発明の罫書き用器具（第２実施形態）の使用方法を順に示す平面図である。
【図１４】図１４は、本発明の罫書き用器具（第２実施形態）の使用方法を順に示す平面図である。
【図１５】図１５は、本発明の罫書き用器具（第２実施形態）の使用方法を順に示す平面図である。
【図１６】図１６は、本発明の罫書き用器具（第２実施形態）の使用方法を順に示す平面図である。
【図１７】図１７は、図１３中の矢印Ｃ方向から見た図である。
【図１８】図１８は、本発明の罫書き用器具（第２実施形態）が備える補助定規の平面図である。
【図１９】図１９は、図１８中の矢印Ｄ方向から見た図である。
【図２０】図２０は、本発明の罫書き用器具（第２実施形態）から得られる人工骨の斜視図である。
【発明を実施するための形態】
【００２６】
以下、本発明の罫書き用器具を添付図面に示す好適な実施形態に基づいて詳細に説明する。
【００２７】
＜第１実施形態＞
図１〜図６は、それぞれ、本発明の罫書き用器具（第１実施形態）の使用方法を順に示す平面図である。図７は、図１中の矢印Ａ方向から見た図である。図８は、本発明の罫書き用器具（第１実施形態）が備える直線定規の平面図である。図９は、図８中の矢印Ｂ方向から見た図である。図１０は、本発明の罫書き用器具（第１実施形態）から得られる人工骨の斜視図である。図１１は、図１０に示す人工骨の使用状態の一例を示す斜視図である。なお、以下では、説明の都合上、図１〜図６中（図１２〜図１６についても同様）の上側を「上（または上方）」、下側を「下（または下方）」、左側を「左（または左方）」、右側を「右（または右方）」と言う。
【００２８】
図１〜図６に示すように、罫書き用器具（ドラフター）１は、ブロック体９に線ＬＮ９を罫書くときに用いられるものである。そして、線ＬＮ９に沿ってブロック体９を切断すれば、くさび形の人工骨９０が得られる（図１０参照）。
【００２９】
まず、罫書き用器具１について説明する前に、ブロック体９について説明する。
図１０に示すように、ブロック体９は、人工骨９０の母材となるものである。ブロック体９は、直方体（６つの平面を有する六面体）をなす部材である。ブロック体９は、いずれも長方形をなす第１面９１、第２面９２、第３面９３、第４面９４、第５面９５および第６面９６を有する部材である。
【００３０】
第１面９１と第２面９２とは、隣接しており、直角に交わって（交差して）いる。
第３面９３は、第１面９１と第２面９２とに隣接しており、これらの面のいずれとも直角に交わっている。この第３面９３（交差する第１面９１および第２面９２と異なる面）には、線ＬＮ９が罫書かれる。その際、第１面９１および第２面９２のうちの第１面９１（２つの面のうちの一方の面）または第１面９１と同一の仮想面上、すなわち、本実施形態では第１面９１と第３面９３との境界部には、線ＬＮ９が交わる交点ＰＩ９が設定される（図２参照）。そして、交点ＰＩ９を通る直線を罫書けば（図５参照）、その直線は、線ＬＮ９となる（図６参照）。なお、第２面９２から交点ＰＩ９までの距離は、後述する人工骨９０の高さＨ９となる。
【００３１】
第４面９４は、第１面９１の反対側に臨んでいる。第５面９５は、第２面９２の反対側に臨んでいる。第４面９４と第５面９５とは、隣接しており、直角に交わって（交差して）いる。
【００３２】
第６面９６は、第３面９３の反対側に臨んでいる。この第６面９６は、第４面９４と第５面９５とに隣接しており、さらに、第１面９１と第２面９２とにも隣接しており、これらの面のいずれとも直角に交わっている。
【００３３】
第１面９１、第２面９２、第３面９３、第４面９４、第５面９５および第６面９６のうち、面積が最大の面は、第３面９３および第６面９６である。また、面積が最小の面は、第１面９１および第４面９４である。
【００３４】
ブロック体９は、セラミックス材料を構成材料としてなることが好ましい。セラミックス材料は加工性に優れているため、旋盤、ドリル等を用いた切削加工によりその形状、大きさ等を調整することが容易である。
【００３５】
セラミックス材料としては、各種のセラミックス材料が挙げられるが、特にアルミナ、ジルコニア、リン酸カルシウム系化合物等のバイオセラミックスが好ましい。なかでもリン酸カルシウム系化合物は、優れた生体親和性を備えているため、人工骨９０の構成材料として特に好ましい。
【００３６】
リン酸カルシウム系化合物としては、例えばハイドロキシアパタイト、フッ素アパタイト、炭酸アパタイト等のアパタイト類、リン酸二カルシウム、リン酸三カルシウム、リン酸四カルシウム、リン酸八カルシウム等が挙げられ、これらを１種または２種以上を混合して用いることができる。また、これらのリン酸カルシウム系化合物のなかでもＣａ／Ｐ比が１．０〜２．０のものが好ましく用いられる。
【００３７】
このようなリン酸カルシウム系化合物のうち、ハイドロキシアパタイトがより好ましい。ハイドロキシアパタイトは、骨の無機質主成分と同様の構造であるため、優れた生体適合性を有している。また、ブロック体９を製造する際、原料のハイドロキシアパタイト粒子は、５００〜１０００℃で仮焼成されたものがより好ましい。かかる温度で仮焼成されたハイドロキシアパタイト粒子は、ある程度活性が抑えられるため、焼結が急激に進行すること等による焼結ムラが抑制され、強度にムラのない焼結体を得ることができる。
【００３８】
そして、ブロック体９の第３面９３には、罫書き用器具１を用いて、線ＬＮ９が罫書かれる。線ＬＮ９は、第２面９２に対して傾斜した直線である。この線ＬＮ９に沿ってブロック体９を切断すれば、くさび形の人工骨９０が得られる。なお、線ＬＮ９自体は、例えば、外科用皮膚ペン１１（図５参照）により描かれる。また、ブロック体９の切断には、ダイヤモンドカッターを用いることができる。
【００３９】
人工骨９０は、例えば、脚の形をいわゆる「Ｏ脚」から「Ｘ脚」に変える高位脛骨骨切り術（High Tibial Osteotomy：HTO）で用いられる。この高位脛骨骨切り術には、股の内側から外側に向かって脛骨Ｔを切開し、当該切開部（骨切り部）Ｔ２にスペーサとしてのくさび形の人工骨９０を挿入して、脛骨Ｔの角度を矯正するオープンウェッジ法がある。これについて説明する。
【００４０】
図１１に示すように、脛骨Ｔの内側顆Ｔ１には、切開部Ｔ２が切開して形成されている。なお、切開部Ｔ２の形成には、例えば、ボーンソー、平ノミ等が用いられる。そして、切開部Ｔ２に対して、人工骨９０を、その頂部９０１側から挿入して配置する。その後、所定の処置を施して、人工骨９０の留置状態を保持する。これにより、脛骨Ｔの角度が矯正される。なお、切開部Ｔ２に配置される人工骨９０の配置数は、図１１に示す状態では２つであるが、これに限定されず、症例によっては、１つまたは３つ以上となる場合もある。
【００４１】
ブロック体９から人工骨９０を得る際には、人工骨９０の高さＨ９と、人工骨９０の頂部９０１の傾斜角度（頂角）θ９とを予め決めてから、線ＬＮ９を罫書いていく方法（図１０参照）と、人工骨９０の高さＨ９と、人工骨９０の挿入深さＤ９とを予め決めてから、線ＬＮ９を罫書いていく方法（図２０参照）とがある。
【００４２】
本実施形態では、前者の方法について説明し、次の第２実施形態では、後者の方法について説明する。
【００４３】
図１〜図６に示すように、罫書き用器具１は、基板２と、ターンテーブル３と、直線定規４とを備えている。以下、各部の構成について説明する。なお、基板２、ターンテーブル３および直線定規４は、それぞれ、ステンレス鋼等のような金属材料で構成されているのが好ましい。
【００４４】
基板２は、板状をなす基板本体２１と、直線定規４の位置を決める位置決め部２２を有している。
【００４５】
基板本体２１は、その平面視で正方形または長方形等のような四角形をなす平板で構成されている。なお、基板本体２１の４つの角部２１１は、それぞれ、丸みを帯びているのが好ましい。
【００４６】
また、基板本体２１の表側の面２１２には、右側の部分に角度目盛り２４が付されている。角度目盛り２４は、ターンテーブル３を回転させた際に、その回転角度を示す目盛りである。そして、この回転角度は、線ＬＮ９の頂部９０１の傾斜角度θ９となる、すなわち、傾斜角度θ９に相当する。これにより、角度目盛り２４を確認して（視認して）、傾斜角度θ９の線ＬＮ９を罫書くことができる。
【００４７】
角度目盛り２４には、目盛線２４１と、数字２４２と、文字２４３とが含まれている。この角度目盛り２４は、例えば刻印により付されている。
【００４８】
目盛線２４１は、１°ごと（１°刻み）に付されている。
数字２４２としては、目盛線２４１が「０°」に相当する部分に「０」と付されている。以下、同様に、目盛線２４１が「５°」に相当する部分には、「５」と付されている。目盛線２４１が「１０°」に相当する部分には、「１０」と付されている。目盛線２４１が「１５°」に相当する部分には、「１５」と付されている。目盛線２４１が「２０°」に相当する部分には、「２０」と付されている。目盛線２４１が「２５°」に相当する部分には、「２５」と付されている。
【００４９】
文字２４３としては、「人工骨９０の頂部９０１の傾斜角度θ９」を意味する「Angle」の文字（英単語）が付されている。
【００５０】
基板本体２１の表側の面２１２上には、位置決め部２２が設けられている。位置決め部２２は、ターンテーブル３の回転中心Ｏ３に対する直線定規４の位置を決める部分である。
【００５１】
位置決め部２２は、表側の面２１２から突出した２つの突出部材２３で構成されている。これら２つの突出部材２３は、ターンテーブル３を介して、図１中（図２〜図６についても同様）の上下方向に、できる限り離間し配置されているのが好ましい。
【００５２】
また、各突出部材２３は、円柱状をなしている。また、各突出部材２３は、外径が段階的に変化しており、表側の面２１２の近位にある大径部２３１と、表側の面２１２から遠位にある小径部２３２とを有している。そして、図４や図５に示すように、上側にある突出部材２３の小径部２３２には、直線定規４の２つの貫通孔４２のうちの一方の貫通孔４２が嵌合し、下側にある突出部材２３の小径部２３２には、他方の貫通孔４２が嵌合する。これにより、図４中、直線定規４の上下左右方向への移動が規制される。
【００５３】
また、図７に示すように、各突出部材２３の大径部２３１には、直線定規４の裏側の面４１が当接して、直線定規４の下方への移動が規制される。
【００５４】
このような構成の位置決め部２２により、基板２上での直線定規４の位置が固定される。これにより、図５に示すように、直線定規４に沿って、線ＬＮ９を安定して罫書く（引く）ことができる。
【００５５】
図８および図９に示すように、直線定規４は、直線状の棒状体で構成されている。この直線定規４の両端部には、それぞれ、直線定規４の厚さ方向に貫通する貫通孔４２が形成されている。線ＬＮ９を罫書く際には、直線定規４は、位置決め部２２によって前記のように位置決めされるともに、ブロック体９上に配置される。そして、この状態で、線ＬＮ９を罫書くことができる（図５参照）。
【００５６】
基板本体２１の表側の面２１２上には、回転支持部５を介して、ターンテーブル３が回転中心Ｏ３回りに回転可能に支持されている。ターンテーブル３は、ブロック体９が載置される部材である。
【００５７】
なお、回転支持部５の構成としては、特に限定されず、例えば、基板２（基板本体２１）およびターンテーブル３のうちの一方に設けられた軸と、他方に設けられた軸受けとを有する構成とすることができる。
【００５８】
図１に示すように、ターンテーブル３は、半円状をなす板状部３１と、角柱状をなす柱状部３２とを有している。なお、板状部３１と柱状部３２とは、一体的に形成されたものであってもよいし、互いに別体で構成され、これら別体同士を連結したものであってもよい。
【００５９】
板状部３１は、その中心（半円の中心）が回転中心Ｏ３と重なっている。また、板状部３１の表側の面３１１には、マーカ３３が付されている。マーカ３３は、ターンテーブル３がどの程度回転したのかを、角度目盛り２４の目盛線２４１に向かって指し示すものである。マーカ３３の形状は、本実施形態では三角形状であるが、これに限定されず、例えば、矢印形状等であってもよい。また、マーカ３３は、例えば刻印により付されている。
【００６０】
なお、ターンテーブル３は、マーカ３３が目盛線２４１の「０」を指し示す位置で、それ以上の時計回りの回転がピン２５によって規制される。
【００６１】
柱状部３２は、板状部３１の形状である半円の弦３１２となる部分に重なって配置されている。柱状部３２は、板状部３１よりも厚さが厚くなっている。これにより、例えば図２に示すように、板状部３１（ターンテーブル３）上にブロック体９を載置した状態で、ブロック体９の第１面９１（一方の面）を当接させることができる。このように、柱状部３２は、ブロック体９の第１面９１が当接する当接部となる。特に、柱状部３２の上側、すなわち、板状部３１の円弧３１３側に臨む面は、第１面９１が突き当てられて当接する当接面（突き当て面）３２１となる。
【００６２】
図２に示すように、柱状部３２の表側の面３２２には、右側の部分に高さ目盛り（目盛り）３４が付されている。高さ目盛り３４は、柱状部３２にブロック体９の第１面９１（一方の面）が当接した状態で、第２面９２（２つの面のうちの他方の面）から第１面９１上の交点ＰＩ９までの距離を合わせる目盛りである。前述したように、第２面９２から交点ＰＩ９までの距離は、人工骨９０の高さＨ９となる。
【００６３】
高さ目盛り３４には、目盛線３４１と、数字３４２と、文字３４３とが含まれている。この高さ目盛り３４は、例えば刻印により付されている。
【００６４】
目盛線３４１は、１ｍｍごと（１ｍｍ刻み）に付されている。
数字３４２としては、目盛線３４１が「０ｍｍ」に相当する部分に「０」と付されている。そして、この目盛線３４１が高さ目盛り３４の原点となる。また、目盛線３４１が「１０ｍｍ」に相当する部分には、「１０」と付されている。目盛線３４１が「２０ｍｍ」に相当する部分には、「２０」と付されている。目盛線３４１が「３０ｍｍ」に相当する部分には、「３０」と付されている。
【００６５】
文字３４３としては、「人工骨９０の高さＨ９」を意味する「Height」の文字（英単語）が付されている。
【００６６】
また、基板２の平面視で、ターンテーブル３の回転中心Ｏ３と、高さ目盛り３４の原点、すなわち、数字３４２が「０」と付された目盛線３４１とは、重なっている。これにより、図２、図３に示すように、第２面９２から交点ＰＩ９までの距離を高さ目盛り３４に合わせた状態を維持したまま、ターンテーブル３をブロック体９ごと回転させることができる。
【００６７】
次に、罫書き用器具１の使用方法について、図１〜図６を参照しつつ説明する。ここでは、人工骨９０の高さＨ９と、人工骨９０の頂部９０１の傾斜角度θ９とを予め決めてから、線ＬＮ９を罫書いていく方法について説明する。一例として、高さＨ９が「１０ｍｍ」、傾斜角度θ９が「１０°」とする。
【００６８】
［１］  図１に示す罫書き用器具１は、ターンテーブル３には、未だブロック体９が載置されていない。このターンテーブル３は、マーカ３３が角度目盛り２４の「０」と付された目盛線２４１を指し示した状態となって、停止している。
また、基板２には、直線定規４も未だ設置されていない。
【００６９】
［２］  次いで、図２に示すように、ターンテーブル３上にブロック体９を載置する。このとき、ターンテーブル３の柱状部３２の当接面３２１に、ブロック体９の第１面９１を当接させる。また、ブロック体９の第２面９２の位置を、高さ目盛り３４の「１０」と付された目盛線３４１に合わせる。これにより、第１面９１（第１面９１と第３面９３との境界部）の、高さ目盛り３４の「０」と付された目盛線３４１に合ったところが、線ＬＮ９が交わる交点ＰＩ９として設定される。なお、ブロック体９の第２面９２から交点ＰＩ９までの距離（＝１０ｍｍ）は、人工骨９０の高さＨ９に相当する。
【００７０】
また、前述したように、高さ目盛り３４は、柱状部３２（当接部）に付されている。これにより、高さ目盛り３４を視認しながら、ブロック体９を柱状部３２に当接させたまま、高さ目盛り３４の目標値（「１０」と付された目盛線３４１）に合わせることができる。これにより、交点ＰＩ９を正確かつ迅速に設定することができる。
【００７１】
［３］  次いで、図３に示すように、ターンテーブル３上でのブロック体９の状態を維持したまま、そのブロック体９ごとターンテーブル３を回転させる。このときのターンテーブル３の回転角度は、傾斜角度θ９と同様に「１０°」である。従って、ターンテーブル３を、マーカ３３が角度目盛り２４の「１０」と付された目盛線２４１を指し示す状態となるまで回転させて、停止させる。なお、罫書き用器具１は、この停止状態を維持するよう構成されているのが好ましい。
【００７２】
［４］  次いで、図４に示すように、直線定規４を基板２に設置する。前述したように、直線定規４は、位置決め部２２により、ターンテーブル３の回転中心Ｏ３、すなわち、高さ目盛り３４の「０」と付された目盛線３４１に対する位置が決められた状態となる。これにより、ターンテーブル３の回転角度によらず、交点ＰＩ９（ターンテーブル３の回転中心Ｏ３）と重なる線ＬＮ９を罫書くことができる。
【００７３】
［５］  次いで、図５に示すように、外科用皮膚ペン１１を上側から下側（交点ＰＩ９）まで直線定規４に沿わせて、ブロック体９の第３面９３上に線ＬＮ９を罫書く。
【００７４】
［６］  次いで、図６に示すように、基板２から直線定規４を取り外す。これにより、ブロック体９に線ＬＮ９が罫書かれているのを確認することができる。この線ＬＮ９は、第２面９２に対して傾斜角度θ９が「１０°」で傾斜した線となっている。
【００７５】
そして、線ＬＮ９に沿ってブロック体９を切断すれば、高さＨ９が「１０ｍｍ」、傾斜角度θ９が「１０°」のくさび形の人工骨９０が得られる（図１０参照）。
【００７６】
以上のように罫書き用器具１を用いることにより、ブロック体９を高さ目盛り３４に合わせた状態でターンテーブル３を回転させ、そして、その回転先の位置でターンテーブル３を停止させた状態として、線ＬＮ９を罫書くことができる。従って、例えば高位脛骨骨切り術で用いられる人工骨９０の母材となるブロック体９に対して、高さＨ９が「１０ｍｍ」、傾斜角度θ９が「１０°」となるような線ＬＮ９を正確に罫書くことができる。
【００７７】
＜第２実施形態＞
図１２〜図１６は、それぞれ、本発明の罫書き用器具（第２実施形態）の使用方法を順に示す平面図である。図１７は、図１３中の矢印Ｃ方向から見た図である。図１８は、本発明の罫書き用器具（第２実施形態）が備える補助定規の平面図である。図１９は、図１８中の矢印Ｄ方向から見た図である。図２０は、本発明の罫書き用器具（第２実施形態）から得られる人工骨の斜視図である。
【００７８】
以下、これらの図を参照して本発明の罫書き用器具の第２実施形態について説明するが、前述した実施形態との相違点を中心に説明し、同様の事項はその説明を省略する。
【００７９】
本実施形態は、罫書き用器具の構成および使用方法が異なること以外は前記第１実施形態と同様である。
【００８０】
前記第１実施形態でも述べたように、ブロック体９から人工骨９０を得る際には、まず、人工骨９０の高さＨ９と、人工骨９０の挿入深さＤ９とを予め決めてから、線ＬＮ９を罫書いていく方法もある（図２０参照）。本実施形態では、この方法について説明する。
【００８１】
図１３〜図１５に示すように、罫書き用器具１は、補助定規６を備えている。図１８、図１９に示すように、補助定規６は、板状をなす板状部６１と、ブロック状をなすブロック部６２とを有している。なお、板状部６１とブロック部６２とは、一体的に形成されたものであってもよいし、互いに別体で構成され、これら別体同士を連結したものであってもよい。また、補助定規６は、ステンレス鋼等のような金属材料で構成されているのが好ましい。
【００８２】
板状部６１は、その平面視で長方形をなす部分である。
ブロック部６２は、板状部６１の一端側に設けられている。このブロック部６２は、板状部６１よりも厚さが厚くなっている。また、ブロック部６２は、板状部６１の厚さ方向に偏在して、すなわち、図１９中、板状部６１に対して下側に偏在して配置されている。これにより、補助定規６は、全体として、重心がブロック部６２側に寄ったものとなる。
【００８３】
また、補助定規６の表側の面６３には、深さ目盛り（交差点用目盛り）６４が付されている。図１３〜図１５に示すように、補助定規６は、ターンテーブル３上のブロック体９の第２面９２（他方の面）に当接させた状態で用いられる。そして、この当接状態でターンテーブル３を回転させた際に、直線定規４と交差することができる。深さ目盛り６４は、補助定規６の直線定規４との交点（交差点）ＰＩ６の位置を示す目盛りである。そして、ブロック体９の第１面９１から交点ＰＩ６まで距離は、人工骨９０の挿入深さＤ９となる。
【００８４】
深さ目盛り６４には、目盛線６４１と、数字６４２と、文字６４３とが含まれている。この深さ目盛り６４は、例えば刻印により付されている。
【００８５】
目盛線６４１は、１ｍｍごと（１ｍｍ刻み）に付されている。なお、補助定規６の一端が深さ目盛り６４の原点となる。
【００８６】
数字６４２としては、目盛線６４１が「１０ｍｍ」に相当する部分に「１０」と付されている。以下、同様に、目盛線６４１が「２０ｍｍ」に相当する部分には、「２０」と付されている。目盛線６４１が「３０ｍｍ」に相当する部分には、「３０」と付されている。目盛線６４１が「４０ｍｍ」に相当する部分には、「４０」と付されている。目盛線６４１が「５０ｍｍ」に相当する部分には、「５０」と付されている。目盛線６４１が「６０ｍｍ」に相当する部分には、「６０」と付されている。目盛線６４１が「７０ｍｍ」に相当する部分には、「７０」と付されている。目盛線６４１が「８０ｍｍ」に相当する部分には、「８０」と付されている。
【００８７】
文字６４３としては、「人工骨９０の挿入深さＤ９」を意味する「Depth」の文字（英単語）が付されている。
【００８８】
図１７に示すように、補助定規６は、ブロック体９の第２面９２（他方の面）に当接させた状態でターンテーブル３を回転させた際に、直線定規４との干渉を回避する逃げ部６５を有する。逃げ部６５は、板状部６１とブロック部６２とで画成された空間である。この逃げ部６５により、図１４、図１５に示すように、ターンテーブル３を、その回転角度の大小に関わらず、回転させることができる。
【００８９】
次に、罫書き用器具１の使用方法について、図１２〜図１６を参照しつつ説明する。ここでは、人工骨９０の高さＨ９と、人工骨９０の挿入深さＤ９とを予め決めてから、線ＬＮ９を罫書いていく。一例として、高さＨ９が「１０ｍｍ」、挿入深さＤ９が「６０ｍｍ」とする。
【００９０】
［１］  図１２に示すように、ターンテーブル３上にブロック体９を載置する。このとき、ターンテーブル３は、マーカ３３が角度目盛り２４の「０」と付された目盛線２４１を指し示した状態となって、停止している。
【００９１】
また、ターンテーブル３の柱状部３２の当接面３２１に、ブロック体９の第１面９１を当接させる。そして、ブロック体９の第２面９２の位置を、高さ目盛り３４の「１０」と付された目盛線３４１に合わせる。これにより、第１面９１の、高さ目盛り３４の「０」と付された目盛線３４１に合ったところが、線ＬＮ９が交わる交点ＰＩ９として設定される。なお、ブロック体９の第２面９２から交点ＰＩ９までの距離（＝１０ｍｍ）は、人工骨９０の高さＨ９に相当する。
また、基板２には、直線定規４および補助定規６も未だ設置されていない。
【００９２】
［２］  次いで、図１３に示すように、直線定規４を基板２に設置する。前述したように、直線定規４は、位置決め部２２により、ターンテーブル３の回転中心Ｏ３、すなわち、高さ目盛り３４の「０」と付された目盛線３４１に対する位置が決められた状態となる。これにより、ターンテーブル３の回転角度によらず、交点ＰＩ９（ターンテーブル３の回転中心Ｏ３）と重なる線ＬＮ９を罫書くことができる。
【００９３】
また、補助定規６をターンテーブル３に設置する。このとき、補助定規６の深さ目盛り６４の原点側をターンテーブル３の柱状部３２に当接させるとともに、補助定規６をブロック体９の第２面９２に当接させた状態とする。
【００９４】
［３］  次いで、図１４に示すように、ターンテーブル３上でのブロック体９の状態と補助定規６の状態とをそれぞれ維持したまま、これらとともにターンテーブル３を回転させる。このとき、平面視で、補助定規６の「６０」と付された目盛線６４１と、直線定規４の右側面４３とが重なるまで、ターンテーブル３を回転させて、停止させる。これにより、交点ＰＩ６が設定される。なお、罫書き用器具１は、ターンテーブル３の停止状態を維持するよう構成されているのが好ましい。
【００９５】
［４］  次いで、図１５に示すように、外科用皮膚ペン１１を交点ＰＩ６から交点ＰＩ９まで直線定規４に沿わせて、ブロック体９の第３面９３上に線ＬＮ９を罫書く。
【００９６】
［５］  次いで、図１６に示すように、基板２から直線定規４と補助定規６とをそれぞれ取り外す。これにより、ブロック体９に線ＬＮ９が罫書かれているのを確認することができる。この線ＬＮ９は、第２面９２に対して傾斜した線となっている。
【００９７】
そして、線ＬＮ９に沿ってブロック体９を切断すれば、高さＨ９が「１０ｍｍ」、挿入深さＤ９が「６０ｍｍ」のくさび形の人工骨９０が得られる（図２０参照）。
【００９８】
なお、挿入深さＤ９は、本実施形態ではブロック体９の全長以内となっているが、これに限定されず、ブロック体９の全長を超えてもよい。
【００９９】
以上、本発明の罫書き用器具を図示の実施形態について説明したが、本発明は、これに限定されるものではなく、罫書き用器具を構成する各部は、同様の機能を発揮し得る任意の構成のものと置換することができる。また、任意の構成物が付加されていてもよい。
【０１００】
また、本発明の罫書き用器具は、前記各実施形態のうちの、任意の２以上の構成（特徴）を組み合わせたものであってもよい。
【０１０１】
また、ブロック体は、前記各実施形態では直方体をなすものであったが、これに限定されず、例えば、立方体をなすものであってよい。
【０１０２】
また、基板に角度目盛を設けてターンテーブルにマーカを設けたが、基板にマーカを設けてターンテーブルに角度目盛を設けてもよい。
【符号の説明】
【０１０３】
１            罫書き用器具（ドラフター）
２            基板
２１          基板本体
２１１        角部
２１２        表側の面
２２          位置決め部
２３          突出部材
２３１        大径部
２３２        小径部
２４          角度目盛り
２４１        目盛線
２４２        数字
２４３        文字
２５          ピン
３            ターンテーブル
３１          板状部
３１１        表側の面
３１２        弦
３１３        円弧
３２          柱状部
３２１        当接面（突き当て面）
３２２        表側の面
３３          マーカ
３４          高さ目盛り（目盛り）
３４１        目盛線
３４２        数字
３４３        文字
４            直線定規
４１          裏側の面
４２          貫通孔
４３          右側面
５            回転支持部
６            補助定規
６１          板状部
６２          ブロック部
６３          表側の面
６４          深さ目盛り（交差点用目盛り）
６４１        目盛線
６４２        数字
６４３        文字
６５          逃げ部
９            ブロック体
９０          人工骨
９０１        頂部
９１          第１面
９２          第２面
９３          第３面
９４          第４面
９５          第５面
９６          第６面
１１          外科用皮膚ペン
Ｄ９          挿入深さ
Ｈ９          高さ
ＬＮ９        線
Ｏ３          回転中心
ＰＩ６        交点（交差点）
ＰＩ９        交点
Ｔ            脛骨
Ｔ１          内側顆
Ｔ２          切開部（骨切り部）
θ９          傾斜角度（頂角）
【図１】
2019062972.tif 000003
【図２】
2019062972.tif 000004
【図３】
2019062972.tif 000005
【図４】
2019062972.tif 000006
【図５】
2019062972.tif 000007
【図６】
2019062972.tif 000008
【図７】
2019062972.tif 000009
【図８】
2019062972.tif 000010
【図９】
2019062972.tif 000011
【図１０】
2019062972.tif 000012
【図１１】
2019062972.tif 000013
【図１２】
2019062972.tif 000014
【図１３】
2019062972.tif 000015
【図１４】
2019062972.tif 000016
【図１５】
2019062972.tif 000017
【図１６】
2019062972.tif 000018
【図１７】
2019062972.tif 000019
【図１８】
2019062972.tif 000020
【図１９】
2019062972.tif 000021
【図２０】
2019062972.tif 000022